(57)【特許請求の範囲】
【請求項１】
被験者の生体に巻き付けるためのカフと、
前記カフが前記被験者の生体に巻き付けられた状態で血圧を測定するための測定手段と、
前記カフの傾角を検知するための検知手段と、
前記測定手段による測定の際に、前記検知手段による検知結果に基づき、予め定められた複数の傾斜レベルのうち現状の傾斜レベルを特定するための特定手段と、
前記特定手段により特定された傾斜レベルを前記測定手段により測定された血圧データと対応付けて記憶するための記憶手段と、
前記記憶手段に記憶された複数の傾斜レベルのうちの少なくとも１つの過去の傾斜レベル、および、前記現状の傾斜レベルを関連付けて報知するための報知手段とを備える、血圧計。
【請求項２】
載置台に載置される第１の筐体と、
非使用状態において前記第１の筐体上に位置し、前記カフが内周面上に配置された略円筒状の第２の筐体と、
前記第１の筐体が前記載置台に載置された状態で、前記被験者に対する前記カフの装着に際して前記第２の筐体が非使用状態における位置よりも前記被験者側に移動可能となるように、前記第２の筐体を前記第１の筐体に対して移動自在に連結する連結手段とをさらに備え、
前記検知手段は、前記第２の筐体の、前記第１の筐体または水平面に対する傾角を検知する、請求項１に記載の血圧計。
【請求項３】
前記記憶手段に記憶された前記複数の傾斜レベルのうち直近の傾斜レベルを検索して読み出すための検索手段をさらに備え、
前記報知手段は、前記検索手段により読み出された前記直近の傾斜レベルを前記過去の傾斜レベルとして報知する、請求項１または２に記載の血圧計。
【請求項４】
前記記憶手段に記憶された前記複数の傾斜レベルの統計値を算出するための統計算出手段をさらに備え、
前記報知手段は、前記統計算出手段による算出の結果に基づいて、前記過去の傾斜レベルを報知する、請求項１または２に記載の血圧計。
【請求項５】
前記統計算出手段は、前記複数の傾斜レベルそれぞれの頻度を算出するための頻度算出手段を含み、
前記報知手段は、前記頻度算出手段による算出の結果、最頻度の傾斜レベルを前記過去の傾斜レベルとして報知する、請求項４に記載の血圧計。
【請求項６】
前記記憶手段に記憶された前記複数の傾斜レベルのうち、所定の範囲内の傾斜レベルであって直近の傾斜レベルを検索して読み出すための検索手段をさらに備え、
前記報知手段は、前記検索手段により検索された傾斜レベルを前記過去の傾斜レベルとして報知する、請求項１または２に記載の血圧計。
【請求項７】
前記記憶手段に記憶された前記複数の傾斜レベルのうち、所定の範囲の傾斜レベルを抽出するための抽出手段と、
前記前記抽出手段により抽出された傾斜レベルの統計値を算出するための統計算出手段とをさらに備え、
前記報知手段は、前記統計算出手段による算出の結果に基づいて、前記過去の傾斜レベルを報知する、請求項１または２に記載の血圧計。
【請求項８】
前記統計算出手段は、前記抽出された傾斜レベルそれぞれの頻度を算出するための頻度算出手段を含み、
前記報知手段は、前記頻度算出手段による算出の結果、最頻度の傾斜レベルを前記過去の傾斜レベルとして報知する、請求項７に記載の血圧計。
【請求項９】
前記特定された現状の傾斜レベルが所定の範囲内か否かを判断するための判断手段をさらに備え、
前記記憶手段は、前記判断手段により前記現状の傾斜レベルが前記所定の範囲内と判断された場合に、前記現状のレベルを記憶する、請求項１または２に記載の血圧計。
【請求項１０】
前記報知手段は、
前記過去の傾斜レベルと前記現状の傾斜レベルとを関連付けて表示するための制御を行なう表示制御手段と、
前記表示制御手段からの出力に基づく表示を行なうための表示手段とを含む、請求項１または２に記載の血圧計。
【請求項１１】
前記表示制御手段は、前記記憶手段に記憶された前記複数の傾斜レベルをグラフ表示するための制御を行なう手段を有する、請求項１０に記載の血圧計。
【発明の詳細な説明】
【技術分野】
【０００１】
本発明は、血圧計に関し、特に、血圧値を記録することのできる家庭向けの血圧計に関する。
【背景技術】
【０００２】
近年、日常の健康管理として、血圧値を日々測定・管理することが重要視されており、家庭向けの血圧計が普及している。このような血圧計では、日々血圧値を記録し、時間経過による血圧値の変動を表示することで、心血管系のリスクに対する診断等に用いられている。
【０００３】
このような血圧計において、血圧値の日々の変動を把握するために、血圧値に与える変動要因を除去することが必要である。
【０００４】
たとえば、特許文献１および２には、測定された血圧値等の測定情報に、測定時のＴＰＯ情報、あるいは、測定状況（飲酒等）の情報を付加することが開示されている。これにより、測定時のＴＰＯ情報あるいは測定状況が測定値に与える影響や傾向を把握することができる。
【０００５】
また、血圧を精度良く測定するためには、被験者がとる測定姿勢も重要である。たとえば、特許文献３には、カフを被験者の上腕に対して自動的に巻き付けるカフ自動巻付機構を備えた血圧計において、測定中に被験者に苦痛を与えることなく、自然な姿勢にて測定が行なえるようにするための提案がなされている。このような血圧計においては、一定の巻きつけ強さが測定毎に再現されるようになるため、安定した測定精度が実現されるばかりでなく、煩雑な巻き付け作業が不要になるというメリットも得られる。
【０００６】
特許文献３の発明は、載置面に載置される第１の筐体と、非使用状態において第１の筐体上に位置し、被験者の生体の一部が挿入される中空開口部を有するカフが内周面上に配置された略円筒状の第２の筐体と、被験者に対するカフの装着に際して第２の筐体が第１の筐体よりも被験者側に移動可能となるように、第２の筐体を第１の筐体に対して移動自在に連結する連結手段とを備えている。これにより、被験者の背筋が伸びた状態で血圧の測定を行なうことができ、結果として、精度良く安定的に血圧を測定することが可能とされる。また、特許文献３には、測定の際に、第２の筐体の傾斜レベルが予め定められた最適測定範囲内にあるか否かを判定し、その判定結果を被験者に対して報知することが開示されている。これによると、被験者は、現状の傾斜レベルが最適測定範囲内か否かを把握することができる。
【特許文献１】特開２００３−９３３５５号公報
【特許文献２】特開２００１−１１２７２４号公報
【特許文献３】特開２００５−２３７８０２号公報
【発明の開示】
【発明が解決しようとする課題】
【０００７】
上記した特許文献１および２には、測定姿勢に関する情報が記録されることについては何ら開示されておらず、測定姿勢の相違が血圧値に与える影響を把握することができない。
【０００８】
また、特許文献３では、第２の筐体の現状の傾斜レベルが最適測定範囲（推奨傾斜範囲）内になるように測定姿勢を整えることができるものの、毎回同じ姿勢をとることは困難であった。
【０００９】
本発明は、上記のような問題を解決するためになされたものであって、その目的は、被験者が過去の測定姿勢と同じになるよう姿勢を調整することが可能な血圧計を提供することである。
【課題を解決するための手段】
【００１０】
この発明のある局面に従う血圧計は、被験者の生体に巻き付けるためのカフと、カフが被験者の生体に巻き付けられた状態で血圧を測定するための測定手段と、カフの傾角を検知するための検知手段と、測定手段による測定の際に、検知手段による検知結果に基づき、予め定められた複数の傾斜レベルのうち現状の傾斜レベルを特定するための特定手段と、特定手段により特定された傾斜レベルを測定手段により測定された血圧データと対応付けて記憶するための記憶手段と、記憶手段に記憶された複数の傾斜レベルのうちの少なくとも１つの過去の傾斜レベル、および、現状の傾斜レベルを関連付けて報知するための報知手段とを備える。
【００１１】
好ましくは、載置台に載置される第１の筐体と、非使用状態において第１の筐体上に位置し、カフが内周面上に配置された略円筒状の第２の筐体と、第１の筐体が載置台に載置された状態で、被験者に対するカフの装着に際して第２の筐体が非使用状態における位置よりも被験者側に移動可能となるように、第２の筐体を第１の筐体に対して移動自在に連結する連結手段とをさらに備え、検知手段は、第２の筐体の傾角を検知する。
【００１２】
好ましくは、記憶手段に記憶された複数の傾斜レベルのうち直近の傾斜レベルを検索して読み出すための検索手段をさらに備え、報知手段は、検索手段により読み出された直近の傾斜レベルを過去の傾斜レベルとして報知する。
【００１３】
あるいは、記憶手段に記憶された複数の傾斜レベルの統計値を算出するための統計算出手段をさらに備え、報知手段は、統計算出手段による算出の結果に基づいて、過去の傾斜レベルを報知することが好ましい。
【００１４】
好ましくは、統計算出手段は、複数の傾斜レベルそれぞれの頻度を算出するための頻度算出手段を含み、報知手段は、頻度算出手段による算出の結果、最頻度の傾斜レベルを過去の傾斜レベルとして報知する。
【００１５】
あるいは、記憶手段に記憶された複数の傾斜レベルのうち、所定の範囲内の傾斜レベルであって直近の傾斜レベルを検索して読み出すための検索手段をさらに備え、報知手段は、検索手段により検索された傾斜レベルを過去の傾斜レベルとして報知することが好ましい。
【００１６】
あるいは、記憶手段に記憶された複数の傾斜レベルのうち、所定の範囲の傾斜レベルを抽出するための抽出手段と、抽出手段により抽出された傾斜レベルの統計値を算出するための統計算出手段とをさらに備え、報知手段は、統計算出手段による算出の結果に基づいて、過去の傾斜レベルを報知することが好ましい。
【００１７】
好ましくは、統計算出手段は、抽出された傾斜レベルそれぞれの頻度を算出するための頻度算出手段を含み、報知手段は、頻度算出手段による算出の結果、最頻度の傾斜レベルを過去の傾斜レベルとして報知する。
【００１８】
好ましくは、特定された現状の傾斜レベルが所定の範囲内か否かを判断するための判断手段をさらに備え、記憶手段は、判断手段により現状の傾斜レベルが所定の範囲内と判断された場合に、現状のレベルを記憶する。
【００１９】
好ましくは、報知手段は、過去の傾斜レベルと現状の傾斜レベルとを関連付けて表示するための制御を行なう表示制御手段と、表示制御手段からの出力に基づく表示を行なうための表示手段とを含む。
【００２０】
好ましくは、表示制御手段は、記憶手段に記憶された複数の傾斜レベルをグラフ表示するための制御を行なう手段を有する。
【００２１】
さらに好ましくは、第１の筐体は、載置台に接触する接触面を含み、検知手段は、さらに、接触面の水平度を検知し、報知手段は、水平度をさらに報知する。
【００２２】
さらに好ましくは、被験者の胴体との距離を検知するための距離検知手段と、距離検知手段が検知した距離が所定の距離外である旨報知するための手段をさらに備える。
【発明の効果】
【００２３】
本発明によると、被験者は、現状の傾斜レベルが過去の傾斜レベルと同じになるように測定姿勢を調整することができる。これにより、日々の血圧値の変動が正確に把握できるようになる。
【発明を実施するための最良の形態】
【００２４】
本発明の実施の形態について図面を参照しながら詳細に説明する。なお、図中同一または相当部分には同一符号を付してその説明は繰返さない。
【００２５】
［実施の形態１］
（外観および測定姿勢について）
図１は、本発明の実施の形態１における血圧計を右斜め上方から見た場合の外観を示す斜視図である。
【００２６】
図１に示すように、本実施の形態における血圧計１００は、机等の載置台に載置される本体部１１０と、被験者の上腕が挿入される中空開口部１５０を有する生体挿入部１４０とを主に備えている。本体部１１０は、第１の筐体である本体部ケーシング１１２によって覆われており、生体挿入部１４０は、第２の筐体である生体挿入部ケーシング１４２によって覆われている。
【００２７】
本体部１１０の上面には、被験者からの指示を受付けるための操作部１１４が配置されている。操作部１１４は、電源の投入に用いられる電源ボタンや測定動作を開始させるための測定ボタン、表示部の操作を行なう表示部操作ボタンなどの種々のボタンが含まれる。また、本体部１１０の上面の他の位置には、測定結果や操作ガイド等を表示するための表示部１１６が設けられている。操作部１１４および表示部１１６に隣接する本体部１１０の上面の所定位置には、被験者が測定姿勢をとった際に肘を載置するための肘置き１１９が設けられている（図２参照）。この肘置き１１９は、たとえば本体部ケーシング１１２の上面に凹部を設けることによって構成される。
【００２８】
生体挿入部１４０は、回転軸を含む回転連結機構によって本体部１１０に対して回転自在に連結されている。具体的には、本体部１１０の被験者側に位置する前方端寄りの本体部ケーシング１１２内に配置された回転軸によって、本体部ケーシング１１２と生体挿入部ケーシング１４２とが回転自在に連結されている。
【００２９】
生体挿入部１４０は、略円筒状の生体挿入部ケーシング１４２の内周面上に配置されたカフと、カフを覆うように生体挿入部ケーシング１４２に取付けられたカフカバー１４８とを備える。また、生体挿入部ケーシング１４２の外周面の所定位置には、被験者が生体挿入部１４０を回転移動させるために把持する把手１４４が設けられている。また、この把手１４４の近傍には、本体部１１０上に収納された生体挿入部ケーシング１４２を回転移動させるために使用する開錠ボタン１４６が設けられている。
【００３０】
図２は、生体挿入部１４０が開錠された状態を示す斜視図である。
生体挿入部ケーシング１４２が回転軸を含む回転連結機構としてのヒンジ部１４を基点に被験者側に（図中矢印Ａ１方向に）向かって回転移動し、本体部ケーシング１１２よりも被験者側に移動する。
【００３１】
本実施の形態では、生体挿入部ケーシング１４２の上部（開錠ボタン１４６の付近）に生体挿入部ケーシング１４２の傾角を検知するための検知部たとえば角度センサ１６０が設けられる。
【００３２】
図３は、本発明の実施の形態１における血圧計１００におけるカフの装着手順を示す模式図であり、生体挿入部の中空開口部に腕を挿し込む様子を示す図である。また、図４は、装着後の測定姿勢を示す模式図である。なお、これらの図においては、右腕で血圧値を測定する場合を想定している。
【００３３】
図３に示すように、本実施の形態における血圧計１００を用いて血圧値を測定する場合には、水平な載置台に相当する机２１０上に血圧計１００の本体部１１０を載置し、被験者３００は椅子２２０に着席する。そして、開錠ボタン１４６を押下して生体挿入部１４０を図中矢印Ａ１方向に移動させ、さらに左手で血圧計１００の生体挿入部ケーシング１４２に設けられた把手１４４を把持して生体挿入部１４０の傾角を調整しつつ、右手を生体挿入部１４０の中空開口部１５０に挿し込む。右手を中空開口部１５０内の奥に向かってさらに挿し込むことにより、前腕３１０を経由して生体挿入部１４０内に設けられたカフが上腕３２０に面する位置にくるまで右腕を挿し込む。そして、中空開口部１５０に挿し込んだ右腕の肘を軽く曲げ、肘を本体部１１０の上面に設けられた肘置き１１９に載せることにより、図４に示す如くの測定姿勢となる。
【００３４】
この一連の装着動作においては、右腕の傾角に合わせて生体挿入部１４０の傾角が変動する。つまり、中空開口部１５０に挿し込んだ右手や右腕が生体挿入部１４０の中空開口部１５０の内周面に接触することにより、右手の動きに追従して生体挿入部１４０が回転する。たとえば、右手を挿しこむ段階においては、図３に示す如くの最大可動状態（後述）もしくはそれに近い位置にまで生体挿入部１４０を回転させておくことが被験者への負担が少なく好ましいが、その後、右手および右腕をさらに挿し込む段階においては、図１１に示すように、右手および右腕の動きに追従して生体挿入部１４０が図中矢印Ａ２方向に回転移動することが好ましい。
【００３５】
図５は、本発明の実施の形態１における血圧計１００を用いて血圧値を測定する際の測定姿勢を示す模式断面図である。図５に示すように、本実施の形態における血圧計１００においては、生体圧迫用空気袋１５２を膨張・収縮させることにより、上腕３２０内に位置する動脈内に生じる動脈圧脈波の検出が行われ、これによって血圧値の測定が行なわれる。なお、この測定中においても、上腕の動きに対して生体挿入部１４０が追従して回転する。そのため、生体に対するカフの密着性が向上し、高精度の測定が可能となる。
【００３６】
ところで、図３に示されるように、心臓３３０の高さと測定部位である上腕３２０の高さがほぼ同じ高さにするためには、被験者３００の背筋は伸びた状態になることが必要である。これにより、精度よく血圧値を測定することが可能になる。
【００３７】
しかしながら、本実施の形態１の血圧計１００の上記構成によると、本体部１１０に対して生体挿入部１４０が回転移動可能であるため、生体挿入部１４０に上腕３２０を挿し込みさえすれば、どのような姿勢であっても血圧値の測定は可能である。そのため、被験者３００は、とるべき測定姿勢が分からなければ、不自然な姿勢（前のめりな姿勢など）で測定してしまったり、毎回異なる姿勢で測定してしまう可能性がある。そのような場合、測定精度が保たれなくなってしまうため、本実施の形態における血圧計１００は、被験者３００に対し、とるべき測定姿勢を導くための制御を行なう。この具体的な処理については後に詳述する。
【００３８】
図６および図７は、本実施の形態における血圧計を右側方から見た場合の側面図である。このうち、図６は、本体部ケーシング１１２上に生体挿入部ケーシング１４２が位置している収納状態を示す図であり、図７は、生体挿入部ケーシング１４２を可能な限り被験者側に向かって回転移動させた最大可動状態を示す図である。
【００３９】
上述のように、本実施の形態における血圧計１００においては、本体部ケーシング１１２と生体挿入部ケーシング１４２とが別れる。別れた本体部ケーシング１１２と生体挿入部ケーシング１４２とがヒンジ部１４によって連結された構成を有している。
【００４０】
図６に示すように、収納状態（非使用状態）における血圧計１００にあっては、本体部ケーシング１１２上に生体挿入部ケーシング１４２が位置している。本体部ケーシング１１２の上面は、机等の水平な載置台上に血圧計１００の本体部ケーシング１１２を載置した場合に水平面から所定の角度をもって傾斜して位置するように予め傾斜させて形成されている。生体挿入部ケーシング１４２は、この傾斜した上面にその中空開口部１５０の軸線が直交する状態で本体部ケーシング１１２上に収納されている。なお、この収納状態における生体挿入部ケーシング１４２の水平面４２０に対する傾角をＲ１とする。
【００４１】
図７に示すように、生体挿入部ケーシング１４２が被験者によって回転移動され、その回転移動が制限される範囲である回転可動範囲内で最も被験者側に回転させた最大可動状態に位置した場合においては、生体挿入部ケーシング１４２が本体部ケーシング１１２よりも被験者側に移動した状態となる。この状態において、中空開口部１５０の軸線は、水平面４２０と平行な状態を僅かに超える程度にまで倒れた状態となる。なお、この最大可動状態における生体挿入部ケーシング１４２の水平面４２０に対する傾角をＲ２とする。
【００４２】
本実施の形態における血圧計１００においては、生体挿入部ケーシング１４２が、被験者の操作によって図６に示す収納状態における位置と図７に示す最大可動状態における位置との間の可動範囲内で自在に回転移動する。すなわち、生体挿入部ケーシング１４２が、収納状態における位置から角度（Ｒ１＋Ｒ２）の範囲内で被験者側に向かって回転移動する。
【００４３】
なお、生体挿入部ケーシング１４２を回転可能とするための回転連結機構については、たとえば特許文献１に開示された機構が用いられる。
【００４４】
図８および図９は、本実施の形態における血圧計を右側方から見た場合の側面図である。カフを装着した上腕の高さと心臓の高さとが大きくずれない測定姿勢を実現するためには、必然的に生体挿入部１４０の中空開口部１５０に挿入する上腕の傾角の最適範囲が導き出される。この上腕の傾角の最適範囲は、測定時における生体挿入部ケーシング１４２の傾斜レベルに対応することになり、結果として生体挿入部ケーシング１４２の推奨傾斜範囲（最適測定範囲）が定まる。
【００４５】
図８は、血圧値を精度よく測定することが可能な推奨傾斜範囲内における可動最小位置に生体挿入部ケーシング１４２が位置している状態を示す図である。この状態における生体挿入部ケーシング１４２の水平面４２０に対する傾角をＲ３とする。
【００４６】
図９は、血圧値を精度よく測定することが可能な推奨傾斜範囲内における可動最大位置に生体挿入部ケーシング１４２が位置している状態を示す図である。この状態における生体挿入部ケーシング１４２の水平面４２０に対する傾角をＲ４とする。
【００４７】
図１０は、本発明の実施の形態１における血圧計１００の回転可能範囲（可動範囲）と推奨傾斜範囲との関係を示す図である。図１０に示すように、本実施の形態における血圧計１００においては、生体挿入部ケーシング１４２が図中に示す傾角Ｒ１およびＲ２で規定される可動範囲内で自在に回転する。一方、生体挿入部ケーシング１４２の傾角の推奨傾斜範囲は、図中に示す傾角Ｒ３からＲ４の範囲内である。この推奨傾斜範囲は可動範囲に包含され、好ましくは、水平面に対する傾角が１５°〜４５°の範囲である。
【００４８】
（構成について）
図１１は、本発明の実施の形態１における血圧計１００の構成を示すハードウェアブロック図である。
【００４９】
図１１に示すように、血圧計１００は、上述した操作部１１４および表示部１１６に加え、カフに内蔵されている生体圧迫用空気袋１５２と、生体圧迫用空気袋１５２の内腔の圧力（以下「カフ圧」という）を検知する圧力センサ１２３と、圧力センサ１２３により検出された信号を増幅するための増幅器１２６と、増幅されたアナログ信号をデジタル信号に変換するためのＡ／Ｄコンバータ１２７と、カフ圧のレベルを調整するためのエアポンプ１２１およびエアバルブ１２２と、エアポンプ１２１を駆動するエアポンプ駆動回路１２４と、エアバルブ１２２の開閉度合を調整するためのエアバルブ駆動回路１２５と、各部を集中的に制御および監視するためのＣＰＵ（Central Processing Unit）１２８と、各種データおよびプログラムが格納されるメモリ１２９と、計時動作して計時データを出力するタイマ１３０と、生体挿入部ケーシング１４２の傾角（傾斜角度）を検知するための角度センサ１６０とを備える。
【００５０】
このように、生体圧迫用空気袋１５２は、エアポンプ１２１と、エアバルブ１２２と、圧力センサ１２３とを含む生体圧迫用エア系１２０にエアチューブ１５４によって接続されている。
【００５１】
ＣＰＵ１２８は、Ａ／Ｄコンバータ１２７、エアポンプ駆動回路１２４、エアバルブ駆動回路１２５．メモリ１２９、表示部１１６、操作部１１４、タイマ１３０、および、角度センサ１６０と接続されている。
【００５２】
本実施の形態の血圧計１００においては、生体圧迫用空気袋１５２、圧力センサ１２３および角度センサ１６０を除くすべてのブロックが本体部１１０に設けられており、本体部ケーシング１１２内に収容されている。生体圧迫用空気袋１５２、圧力センサ１２３および角度センサ１６０は、生体挿入部１４０に設けられており、生体挿入部ケーシング１４２内に収容されている。生体圧迫用空気袋１５２とエアポンプ１２１およびエアバルブ１２２とは、フレキシブルなエアチューブによって接続されており、圧力センサ１２３と増幅器１２６は、フレキシブルな信号線によって接続されている。また、角度センサ１６０とＣＰＵ１２８とは、フレキシブルな信号線によって接続されている。このようにフレキシブルなエアチューブおよび信号線を用いて本体部ケーシング内に収容された構成品と生体挿入部ケーシング１４２内に収容された構成品とを接続することにより、生体挿入部ケーシング１４２の回転移動に追従しつつ、エアの注入および排出あるいは信号の送受信が行なえるようになる。
【００５３】
角度センサ１６０は、代表的に加速度センサであり、水平面に対する生体挿入部ケーシング１４２の傾角を検知する。なお、本体部ケーシング１１２に対する生体挿入部ケーシング１４２の傾角を検知するものであってもよい。または、各種スイッチを用いて傾角を検知することも可能であり、タクトスイッチやロータリスイッチ、可変抵抗を用いたスイッチ等を利用して、生体挿入部ケーシング１４２の移動量から間接的に生体挿入部ケーシング１４２の傾角を検知することも可能である。
【００５４】
なお、角度センサ１６０の配置位置は生体挿入部ケーシング１４２の上部に限定されず、たとえば、ヒンジ部１４１に配置されてもよい。また、角度センサ１６０は、本体部ケーシング１１２の底面（机等の載置台に接触する接触面）の水平度を検知してもよい。この場合、ＣＰＵ１２８は、本体部ケーシング１１２の底面が水平でないと判断すると、その旨報知（たとえば表示）することとしてもよい。
【００５５】
なお、血圧計１００は、被験者に対して各種の報知をするために、さらに、ブザー等を備えていてもよい。
【００５６】
図１２は、本発明の実施の形態１における血圧計１００の機能構成を示す機能ブロック図である。
【００５７】
図１２を参照して、ＣＰＵ１２８は、被験者の血圧を測定するための処理を行なう測定処理部１０と、傾斜レベル特定部１２と、検索部１４と、判断部１６と、表示部１１６に表示するための信号を生成する表示制御部１８とを含む。
【００５８】
傾斜レベル特定部１２は、角度センサ１６０による検知結果に基づき、生体挿入部ケーシング１４２の現状の傾斜レベルを特定する。より具体的には角度センサ１６０による検知結果に基づき、予め定められた所定数の傾斜レベルのうち現状の傾斜レベルを特定する。
【００５９】
ここで、生体挿入部ケーシング１４２の「傾斜レベル」とは、生体挿入部ケーシング１４２の傾きの度合いを意味するものであり、水平面に対する傾角や本体部ケーシング１１２に対する傾角あるいは生体挿入部ケーシング１４２の本体部ケーシング１１２に対する移動量から導かれる傾き具合等を意味するものである。
【００６０】
また、所定数の傾斜レベルのそれぞれは、生体挿入部ケーシング１４２の可動範囲を所定数に分割した範囲に対応している。つまり、たとえば、１０個の傾斜レベル（レベル１，２，・・・，１０）が予め定められた場合、生体挿入部ケーシング１４２の可動範囲を１０で除したことになる。なお、傾斜レベルの数は、特に限定されないが、推奨傾斜範囲を少なくとも２つに分割した角度の範囲に対応した数であることが好ましい。
【００６１】
測定が終了すると、傾斜レベル特定部１２により特定された傾斜レベルのデータは、測定処理部１０により測定された血圧データと対応付けて、メモリ１２９に記憶される。したがって、メモリ１２９には、測定ごとに、血圧データと傾斜レベルのデータとが関連付けられて記憶される。
【００６２】
測定前および／または測定中に、メモリ１２９に記憶された複数の傾斜レベルのうちの少なくとも１つの過去の傾斜レベル、および、現状の傾斜レベルが関連付けられて報知される。本実施の形態においては、表示制御部１８が、メモリ１２９に記憶された直近の傾斜レベルと、傾斜レベル特定部１２により特定された現状の傾斜レベルとを関連付けて表示するための信号を生成する。表示制御部１８により生成された信号が表示部１１６に出力される。これにより、表示部１１６に、現状の傾斜レベルと過去の直近の傾斜レベルとが関連付けられて表示される。
【００６３】
なお、本実施の形態においては、直近の傾斜レベルが上述した推奨傾斜範囲内の場合にのみ、表示（報知）される。
【００６４】
具体的には、検索部１４が、メモリ１２９に記憶された複数の傾斜レベルのデータのうち直近の傾斜レベルのデータを検索して読み出す。判断部１６は、読み出された直近の傾斜レベルが、上述した推奨傾斜範囲内か否かを判断する。直近の傾斜レベルが推奨傾斜範囲内の場合にのみ表示制御部１８に、その傾斜レベルのデータが出力される。
【００６５】
したがって、表示制御部１８は、直近の傾斜レベルが推奨傾斜範囲外であれば、現状の傾斜レベルのみを表示するための信号を生成する。
【００６６】
なお、図１２に示した各ブロックの動作は、メモリ１２９中に格納されたソフトウェアを実行することで実現されてもよいし、少なくとも１つについては、ハードウェアで実現されてもよい。
【００６７】
図１３は、本発明の実施の形態１の血圧計１００におけるメモリ１２９のデータ構造の一例を示す図である。
【００６８】
図１３を参照して、メモリ１２９には、使用者（被験者）ごとに、測定結果記憶領域１２９Ａ，１２９Ｂ，・・・が含まれる。測定結果記憶領域１２９Ａには、血圧データ等の測定データと傾斜レベルのデータとが対にしてレコードＲ単位で格納される。
【００６９】
具体的には、レコードＲｉ（ｉ＝１，２，３,…,ｎ）には、測定日時データＤＴｉ、最高血圧データＳＢＰｉ、最低血圧データＤＢＰｉ、脈拍数データＰＬＳｉ、ならびに傾斜レベルデータＡＧｉが格納される。他の測定結果記憶領域１２９Ｂ，・・・内のデータ構造も同様である。
【００７０】
なお、本実施の形態では、このように、測定データと傾斜レベルデータとを対にして記憶させることとしたが、これらのデータが関連付けられていればよい。したがって、測定データと傾斜レベルデータとが関連付けられれば、測定データが格納される領域と，傾斜レベルデータが格納される領域とが別個に設けられてもよい。
【００７１】
（動作について）
次に、本発明の実施の形態における血圧計１００の具体的な動作について説明する。
【００７２】
図１４は、本発明の実施の形態１における血圧計１００において実行される血圧測定・記録処理を示すフローチャートである。なお、図１４のフローチャートに示す処理は、予めプログラムとしてメモリ１２９に格納されており、ＣＰＵ１２８がこのプログラムを読み出して実行することにより、血圧測定・記録処理の機能が実現される。また、血圧測定・記録処理は、被験者からの指示に基づき電源が投入された場合に開始されるものとする。
【００７３】
図１４を参照して、電源が投入されると、ＣＰＵ１２８は、はじめに、被験者からの指示に基づき使用者の選択を受付ける（ステップＳ２）。受付けた使用者の情報（たとえば、使用者Ａ）は、内部メモリに一時的に格納される。
【００７４】
次に、角度センサ１６０からの出力に基づき、現状の傾斜レベルを特定する（ステップＳ４）。傾斜レベルは、角度センサ１６０からの出力と所定の計算式とに基づいて特定される。あるいは、メモリ１２９に、各傾斜レベルと角度（傾角）の範囲とが予め対応付けられた対応テーブルが記憶され、角度センサ１６０が検知した傾角とその対応テーブルとに基づいて、現状の傾斜レベルが特定されてもよい。
【００７５】
傾斜レベルが特定されると、表示制御部１８は、生体挿入部ケーシング１４２の可動範囲を示したブロック群に現在の傾斜レベルを表示する（ステップＳ６）。現在の傾斜レベルは、（ブロック群において）推奨傾斜範囲と関連付けてを表示することが好ましい。このブロック群については後に詳述する。
【００７６】
続いて、メモリ１２９に傾斜レベルデータが格納されているか否かが判断される（ステップＳ８）。傾斜レベルデータが格納されていると判断されれば（ステップＳ８においてＹＥＳ）、ステップＳ１０に進む。一方、傾斜レベルデータが格納されてないと判断されれば（ステップＳ８においてＮＯ）、ステップＳ１５に進む。
【００７７】
ステップＳ１０において、検索部１４は、メモリ１２９の測定結果記憶領域１２９Ａに記憶された前回（直近）の傾斜レベルデータを検索して読み出す。
【００７８】
次に、判断部１６は、読み出された前回の傾斜レベルデータが、推奨傾斜範囲内か否かを判断する（ステップＳ１２）。傾斜レベルデータが推奨傾斜範囲内であると判断された場合（ステップＳ１２においてＹＥＳ）、ステップＳ１４に進む。一方、傾斜レベルデータが推奨傾斜範囲外であると判断された場合（ステップＳ１２においてＮＯ）、ステップＳ１５に進む。
【００７９】
ステップＳ１４において、表示制御部１８は、現在の傾斜レベルと関連付けて前回の傾斜レベルを表示する。つまり、表示制御部１８は、ステップＳ６で表示した（現在の傾斜レベルが示された）ブロック群に、前回の傾斜レベルをさらに示す処理を行なう。したがって、被験者は、前回の測定姿勢に近づけるように測定姿勢を調整することが可能となる。これにより、毎回同じ測定姿勢（同じ傾斜レベル）で測定することが可能となる。また、これに伴い、測定精度を向上させることができる。ステップＳ１４の処理が終わると、ステップＳ１５に進む。
【００８０】
ステップＳ１５において、ＣＰＵ１２８は、測定ボタンが押下されたか否かを判断する。つまり、操作部１１４からの信号に基づき、ユーザから測定開始の指示が入力されたか否かを判断する。一定時間、測定開始の指示の入力が検知されない場合（ステップＳ１５においてＮＯ）、ステップＳ４に戻る。なお、２回目以降は、ステップＳ８〜Ｓ１２の処理（「前回の傾斜レベル表示」のための前処理）は実行されなくてよい。したがって、一度前回の傾斜レベルが表示されると、測定開始の指示の入力が検知されるまで表示されたままとなる。
【００８１】
ステップＳ１５において、測定開始の指示の入力が検知された場合（ステップＳ１５においてＹＥＳ）、ステップＳ１６に進む。
【００８２】
ステップＳ１６において、測定処理部１０は、エアポンプ駆動回路１２４を駆動開始し、生体圧迫用空気袋１５２のカフ圧を徐々に上昇させる加圧処理を行なう。徐々に加圧する過程において、血圧測定のための所定レベルにまでカフ圧が達すると、測定処理部１０はエアポンプ駆動回路１２４を停止する。次に、測定処理部１０は、エアバルブ駆動回路１２５を制御することによりカフ圧を徐々に減圧させ、公知の手順により血圧（最高血圧、最低血圧）および脈拍を測定する（ステップＳ１８）。具体的には、カフ圧が徐々に減圧する過程において、測定処理部１０は、Ａ／Ｄコンバータ１２７から得られる信号に基づき脈波情報を抽出する。そして、抽出された脈波情報により血圧を算出する。
【００８３】
なお、ステップＳ４，Ｓ６と、ステップＳ８〜Ｓ１４の処理が直列的に実行されるものとして説明したが、これらの処理は、並行して行なわれてもよい。また、直列的に実行される場合に、その順序は問わない。また直列的に実行される場合および並列的に実行される場合のいずれにおいても、ステップＳ６とステップＳ１４の処理が、統合されてもよい。
【００８４】
また、ステップＳ１６およびＳ１８の血圧測定処理の間も、現在の傾斜レベルと前回の傾斜レベルの両方が表示部１１６に表示されていることが好ましい。すなわち、血圧測定処理の間も、ステップＳ４およびＳ６の処理と、ステップＳ１４の処理は並行して行なわれていることが好ましい。これにより、被験者は、測定中も安定した姿勢を保つことが可能となる。
【００８５】
なお、本実施の形態ではカフ圧の微速減圧過程において血圧を測定することとしたが、カフ圧の加圧過程において血圧を測定することとしてもよい。
【００８６】
血圧の測定が終了すると、ＣＰＵ１２８は、測定された血圧データ（と脈拍数データ）および傾斜レベルデータを対応付けて、メモリ１２９に記録する（ステップＳ２０）。より具体的には、ステップＳ２で選択された使用者（使用者Ａ）に対応する測定結果記憶領域１２９Ａに、測定日時データＤＴｎ、最高血圧データＳＢＰｎ、最低血圧データＤＢＰｎ、脈拍数データＰＬＳｎ、ならびに傾斜レベルデータＡＧｎが格納される。
【００８７】
ここで、測定結果記憶領域１２９Ａに記憶される傾斜レベルデータは、血圧測定時の傾斜レベルデータであり、ステップＳ１８において角度センサ１６０からの信号に基づき特定された傾斜レベルであることが好ましい。
【００８８】
最後に、表示制御部１８は、測定結果を表示部１１６に表示する（ステップＳ２２）。
なお、ステップＳ２０の処理とステップＳ２２の処理との実行順序は逆であってもよいし、並行に行なわれてもよい。
【００８９】
（血圧測定・記録処理における表示例について）
次に、図１５〜図１７を用いて、上述の血圧測定・記録処理において表示部１１６に表示される画面例について説明する。
【００９０】
図１５は、図１４のステップＳ１４において表示される画面の一例を示す図である。
図１５を参照して、表示部１１６には、タイマ１３０により計時される現在時刻２１、ステップＳ２で選択された使用者情報２２、ブロック群３０、および、血圧計１００の本体部ケーシング１１２と生体挿入部ケーシング１４２との関係を模式的に示したピクトグラム３５が表示される。
【００９１】
ブロック群３０は、所定数のブロックを含み、それぞれのブロックは、所定数の傾斜レベルに対応している。このブロック群３０は、ピクトグラム３５の斜め上方に弧状に表示される。そして、ブロック群３０に含まれる複数のブロックが、ピクトグラム３５の生体挿入部ケーシング１４２に対応する部分の可動範囲と対応するように表示される。なお、各ブロックは、セグメントであってもよい。
【００９２】
本実施の形態では、ブロック群３０のブロックのうち、推奨傾斜範囲内のブロックを推奨傾斜範囲外のブロックと異なる表示態様で表示する。たとえば、推奨傾斜範囲外のブロックを白抜き表示し、推奨傾斜範囲内のブロックを黄色に表示する。これにより、初めて血圧を測定する場合にも、被験者は、どの範囲内に生体挿入部ケーシング１４２が傾斜すればよいか、すなわち、どのような測定姿勢をとればよいかを容易に知ることができる。
【００９３】
本実施の形態において、ブロック群３０のブロックのうち現在の傾斜レベルに対応するブロックに、所定のマークたとえば三角印３２が表示される。また、ブロック群３０のブロックのうち前回の傾斜レベルに対応するブロック３３が、他のブロックと異なる表示態様で表示される。たとえば、前回の傾斜レベルに対応するブロックを赤色表示する。
【００９４】
なお、現在の傾斜レベルに対応するブロックを三角印３２で示すことに代えて、現在の傾斜レベルに対応するブロックをたとえば青色に表示してもよい。このような場合、前回の傾斜レベルと現在の傾斜レベルとが一致した場合には、その一致したブロックをたとえば緑色に表示するようにすればよい。あるいは、逆に、前回の傾斜レベルに対応するブロックを赤色表示することに代えて、現在の傾斜レベルに対応するブロックに何らかのマークを付加してもよい。
【００９５】
また、図１５に示されるように、前回の傾斜レベルと現在の傾斜レベルとが一致していない場合には、前回の傾斜レベルに現在の傾斜レベルを近づけるように、ピクトグラム３５の近傍に、生体挿入部ケーシング１４２の傾斜方向を矢印などで表示してもよい。これにより、被験者は、実際にどちらの方向（被験者側か、その反対側）に生体挿入部ケーシング１４２を傾斜させればよいかを視認することができる。
【００９６】
図１６は、図１４のステップＳ１８において表示される画面の一例を示す図である。
図１６を参照して、表示部１１６には、血圧の測定中であることを示す情報４２が表示される。また、ブロック群３０の複数のブロックが下方から順に塗り潰し表示されて測定中であることを示したり、ピクトグラム３５内に加圧，減圧の状況を示す複数の三角印が等が表示されてもよい。なお、測定中においても、現在の傾斜レベルに対応するブロックにマークを付すことが好ましい。
【００９７】
図１７は、図１４のステップＳ２２において表示される測定結果表示画面の一例を示す図である。
【００９８】
図１７を参照して、表示部１１６には、現在時刻２１、使用者情報２２に加え、最高血圧値５３、最低血圧値５４、および、脈拍５５が表示され、ブロック群３０のブロックのうち今回の測定時の傾斜レベルに対応するブロック５６が、他のブロックと異なる表示態様で表示される。
【００９９】
このように、本実施の形態によると、測定の際に、現在の傾斜レベルの情報と前回の傾斜レベルの情報とがブロック群３０上に示されるため、前回と同じ姿勢になるよう被験者を導くことができる。つまり、被験者は、前回の傾斜レベルを意識して測定姿勢（上腕の挿入角度）を決めることができる。
【０１００】
また、これにより、毎回安定した測定が可能となり、血圧値の変動が正確に把握できるようになる。さらに、その結果、長期の血圧変動の妥当性が判断できるようになる。
【０１０１】
また、本実施の形態では、現在の傾斜レベルおよび前回の傾斜レベルを生体挿入部ケーシング１４２の推奨傾斜範囲と関連付けて表示される。そのため、被験者は、毎回推奨傾斜範囲に現在の傾斜レベルが含まれるような姿勢をとることで、姿勢の相違（ずれ）が測定値に与える影響を除去することが可能となる。
【０１０２】
さらに、本実施の形態では、前回の傾斜レベルが推奨傾斜範囲外であれば表示しないこととしたため、稀に（偶然）、被験者が傾斜レベルが推奨傾斜範囲外となるような測定姿勢をとってしまった場合には今回の傾斜レベルのみが表示される。したがって、被験者は、今回の傾斜レベルが推奨傾斜範囲内になるような測定姿勢をとることで、一度測定精度が落ちてしまったとしても、測定精度の高さを再現することが可能となる。
【０１０３】
なお、本実施の形態では、推奨傾斜範囲の情報と、現状の傾斜レベルおよび前回の傾斜レベルの情報を、ブロック群３０上に表示することとした。しかしながら、このような表示態様に限定されるものではなく、たとえば、単に、各傾斜レベルが数値や記号等で表示されてもよい。
【０１０４】
（測定記録データの表示例について）
ところで、本実施の形態において、ＣＰＵ１２８は、操作部１１４より記録データ表示（読み出し）の指示を受付けた場合、メモリ１２９の測定結果記憶領域１２９Ａ，Ｂに記憶された測定記録データ（測定結果データ）を読み出すこととしてよい。この場合、読み出された測定記録データは、表示制御部１８により表示部１１６に表示するための制御が行なわれる。
【０１０５】
図１８（Ａ），（Ｂ）は、各々、本発明の実施の形態１において、測定記録データが表示される際の測定記録表示画面の例を示す図である。
【０１０６】
図１８（Ａ）に示すように、表示部１１６には、読み出された測定記録データに基づき、使用者情報５２、最高血圧５３、最低血圧値５４、および、脈拍５５が表示され、ブロック群３０に測定の際の傾斜レベル５６が表示される。図１８（Ａ）において、現在時刻５１が表示されているが、測定の際の日時が表示されてもよい。
【０１０７】
また、所定の領域６２、６３には、ＣＰＵ１２８による、血圧値の（所定の項目についての）判定結果が表示されてもよい。図１８（Ａ）においては、領域６２には、何も表示されず、ブロック群３０の近辺に、高血圧であることを示す「高」マーク６１が表示されている。これにより、表示されている測定データが早朝高血圧とは関係のない高血圧であることが分かる。なお、このような表示に限定されず、たとえば、ピクトグラム５５の下部に高血圧を示すためのＬＥＤを点灯させてもよい。領域６３には、朝に測定されたデータであること、朝に測定した血圧の平均値内であること等が表示されている。
【０１０８】
これに対し、図１８（Ｂ）においては、領域６２に、「早朝高血圧」と表示され、領域６３には、夜に測定されたデータであること、夜に測定した血圧の平均値内であること等が表示されている。
【０１０９】
このように、早朝高血圧等の情報を表示する場合、ＣＰＵ１２８は、所定の計算式または所定の対応テーブルに基づいて、早朝高血圧であるか、単なる高血圧であるか、等を判定する機能をさらに有しているものとする。また、このような場合、図１４のステップＳ２２で測定結果を表示する際にも、同様の判定および表示を行なってもよい。
【０１１０】
上述のように、測定記録データを表示させる場合にも、測定の際の傾斜レベルのデータが併せて表示されるため、被験者は表示されている測定データの信頼性等を認識することができる。また、これにより、被験者による血圧の自己管理が行ないやすくなる。
【０１１１】
なお、測定結果記憶領域１２９Ａ，１２９Ｂには、傾斜レベルデータが記録されているため、傾斜レベルの推移をグラフに表示することとしてもよい。この場合のグラフの表示例を図１９に示す。
【０１１２】
図１９を参照して、表示部１１６に、横軸を回数、縦軸を姿勢（傾斜レベル）で示された折れ線グラフ８１が表示されている。これにより、傾斜レベルの推移が容易に把握することができる。なお、図１９に示されるように、折れ線グラフ８１を構成する各傾斜レベルが推奨傾斜範囲内であるか否かを示す破線等がさらに表示されることが好ましい。また、傾斜レベルを示した折れ線グラフ８１と併せて（時間軸が一致するように）、血圧値を示したグラフを表示することとしてもよい。これにより、被験者あるいは専門医は、傾斜レベル（測定姿勢）が血圧値に与える影響等を知ることが可能となる。
【０１１３】
または、本体部ケーシング１１２あるいは生体挿入部ケーシング１４２に、被験者の胴体との距離を検知するためのたとえば測距センサ（図示せず）をさらに設けてもよい。この場合、測距センサ（図示せず）が検知した距離が所定の距離外である場合、ＣＰＵ１２８は、その旨報知することとしてよい。
【０１１４】
（変形例１）
次に、本発明の実施の形態１の変形例１について説明する。
【０１１５】
本実施の形態の変形例１は、上記実施の形態１の血圧計１００におけるＣＰＵ１２８の機能のみが異なる。したがって、ここでは、実施の形態１と異なる部分のみ説明する。
【０１１６】
図２０は、本発明の実施の形態１の変形例１における血圧計１００の機能ブロック図である。本実施の形態の変形例１においては、「ＣＰＵ１２８Ａ」と記す。
【０１１７】
ＣＰＵ１２８Ａは、実施の形態１のＣＰＵ１２８に含まれた検索部１４に代えて、算出部２４を含む。その他は、実施の形態１と同様である。
【０１１８】
算出部２４は、メモリ１２９に記憶された傾斜レベルデータを読み出し、傾斜レベルデータの統計値を算出する。具体的には、傾斜レベルそれぞれの頻度を算出する。そして、最も高頻度の傾斜レベル（最頻値）を特定し、その傾斜レベルのデータを判断部１６に出力する。なお、本実施の形態では、頻度が算出されることとして説明するが、平均値など他の統計値であってもよい。
【０１１９】
図２１は、本発明の実施の形態１の変形例１における血圧計１００において実行される血圧測定・記録処理を示すフローチャートである。図２１のフローチャートに示す処理もまた、予めプログラムとしてメモリ１２９に格納されており、ＣＰＵ１２８Ａがこのプログラムを読み出して実行することにより、血圧測定・記録処理の機能が実現される。なお、図１４に示した実施の形態１における血圧測定・記録処理と同様の処理については、同じステップ番号を付してある。そのため、それらについての説明は繰返さない。
【０１２０】
図２１を参照して、ステップＳ２〜８の処理が終わると、ＣＰＵ１２８は、メモリ１２９の測定結果記憶領域１２９Ａに記憶された全ての傾斜レベルデータを読み出す（ステップＳ１００）。なお、ここでも、ステップＳ２において使用者Ａが選択されたものとして説明する。
【０１２１】
次に、算出部２４は、読み出された傾斜レベルデータに基づいて、傾斜レベルごとに、測定頻度を算出する（ステップＳ１１０）。算出部２４による算出結果に基づいて、最も高頻度な傾斜レベルデータ（最頻値）が判断部１６に出力される。なお、高頻度の傾斜レベルが複数存在する場合には、たとえば、それらの傾斜レベルのうち、直近の測定の際に特定された傾斜レベルを採用することとする。
【０１２２】
判断部１６は、高頻度の傾斜レベルデータが推奨傾斜範囲内か否かを判断する（ステップＳ１２０）。高頻度の傾斜レベルデータが推奨傾斜範囲内であると判断された場合（ステップＳ１２０においてＹＥＳ）、ステップＳ１４０に進む。一方、高頻度の傾斜レベルデータが推奨傾斜範囲外であると判断された場合（ステップＳ１２０においてＮＯ）、ステップＳ１５に進む。
【０１２３】
ステップＳ１４０では、表示制御部１８は、現在の傾斜レベルと関連付けて、高頻度の傾斜レベルを表示する。つまり、表示制御部１８は、ステップＳ６で表示した（現在の傾斜レベルが示された）ブロック群３０のうち、高頻度の傾斜レベルに対応するブロックをたとえば赤色表示するための処理を行なう。
【０１２４】
このように、変形例１では、被験者が過去に血圧を測定した際に特定された傾斜レベルのうち最も高頻度の傾斜レベルと、現状の傾斜レベルとが関連付けられてブロック群に表示される。したがって、被験者は、最も頻度の高い測定姿勢に近づけるように測定姿勢を調整することが可能となる。これにより、被験者は、安定的に同じ測定姿勢（同じ傾斜レベル）をとることが可能となる。また、これに伴い、測定精度を向上させることができる。
【０１２５】
なお、変形例１においても、図１９に示したようなグラフが表示されることとしてもよい。この場合、横軸を頻度にすればよい。
【０１２６】
（変形例２）
次に、本発明の実施の形態１の変形例２について説明する。
【０１２７】
本実施の形態の変形例１は、上記実施の形態１の血圧計１００におけるＣＰＵ１２８の機能のみが異なる。したがって、ここでは、実施の形態１と異なる部分のみ説明する。
【０１２８】
図２２は、本発明の実施の形態１の変形例２における血圧計１００の機能ブロック図である。本実施の形態の変形例２においては、「ＣＰＵ１２８Ｂ」と記す。
【０１２９】
ＣＰＵ１２８Ｂは、実施の形態１のＣＰＵ１２８に含まれた検索部１４に代えて、検索部１４Ａを含む。また、ＣＰＵ１２８Ｂは、実施の形態１のＣＰＵ１２８に含まれた判断部１６を含まない。その他は、実施の形態１と同様である。
【０１３０】
変形例２において、検索部１４Ａは、メモリ１２９の測定結果記憶領域１２９Ａ，Ｂに記憶された全ての傾斜レベルデータのうち、推奨傾斜範囲内の傾斜レベルであって直近の傾斜レベルのデータを検索して読み出す。
【０１３１】
読み出された傾斜レベル（推奨傾斜範囲内の傾斜レベルのうち直近の傾斜レベル）のデータは、表示制御部１８に出力される。
【０１３２】
図２３は、本発明の実施の形態１の変形例２における血圧計１００において実行される血圧測定・記録処理を示すフローチャートである。図２３のフローチャートに示す処理もまた、予めプログラムとしてメモリ１２９に格納されており、ＣＰＵ１２８Ｂがこのプログラムを読み出して実行することにより、血圧測定・記録処理の機能が実現される。なお、図１４に示した実施の形態１における血圧測定・記録処理と同様の処理については、同じステップ番号を付してある。そのため、それらについての説明は繰返さない。
【０１３３】
図２３を参照して、ステップＳ２〜８の処理が終わると、検索部１４Ａは、メモリ１２９の測定結果記憶領域１２９Ａに記憶された傾斜レベルデータのうち、推奨傾斜範囲内の直近の傾斜レベルデータを検索して読み出す（ステップＳ２００）。なお、ここでも、ステップＳ２において使用者Ａが選択されたものとして説明する。
【０１３４】
次に、表示制御部１８は、現在の傾斜レベルと関連付けて、ステップＳ２００で読み出された傾斜レベル（推奨傾斜範囲内の直近の傾斜レベル）を表示する（ステップＳ２４０）。つまり、表示制御部１８は、ステップＳ６で表示した（現在の傾斜レベルが示された）ブロック群のうち、推奨範囲内の直近の傾斜レベルに対応するブロックをたとえば赤色表示するための処理を行なう。
【０１３５】
このように、本実施の形態の変形例２によると、推奨傾斜範囲内の傾斜レベルデータが測定結果記憶領域１２９Ａ，Ｂに記憶されていれば、必ず過去の傾斜レベルが表示されることになる。その結果、実施の形態１に比べて、目標とする過去の傾斜レベルが表示される確立が高くなる。
【０１３６】
（変形例３）
次に、本発明の実施の形態１の変形例３について説明する。
【０１３７】
本実施の形態の変形例３は、上記実施の形態１の血圧計１００におけるＣＰＵ１２８の機能のみが異なる。なお、変形例３は、変形例１のＣＰＵＡの機能と類似しているため、ここでは、実施の形態１の変形例１と異なる部分のみ説明する。
【０１３８】
図２４は、本発明の実施の形態１の変形例３における血圧計１００の機能ブロック図である。本実施の形態の変形例３においては、「ＣＰＵ１２８Ｃ」と記す。
【０１３９】
ＣＰＵ１２８Ｃは、実施の形態１の変形例１のＣＰＵ１２８Ａに含まれた判断部１６を含まず、新たに、抽出部２３を含む。また、算出部２４に代えて、算出部２４Ａを含む。その他は、実施の形態１の変形例１と同様である。
【０１４０】
抽出部２３は、メモリ１２９の測定結果記憶領域１２９Ａに記憶された全ての傾斜レベルデータのうち、推奨傾斜範囲内の傾斜レベルデータを（検索して）抽出する。抽出された傾斜レベルデータは、算出部２４Ａに出力される。
【０１４１】
算出部２４Ａは、抽出部２３により抽出された傾斜レベルそれぞれの頻度を算出する。そして、最も高頻度の傾斜レベルを特定し、その傾斜レベルのデータを表示制御部１８に出力する。
【０１４２】
図２５は、本発明の実施の形態１の変形例３における血圧計１００において実行される血圧測定・記録処理を示すフローチャートである。図２５のフローチャートに示す処理もまた、予めプログラムとしてメモリ１２９に格納されており、ＣＰＵ１２８Ｃがこのプログラムを読み出して実行することにより、血圧測定・記録処理の機能が実現される。なお、図２１に示した実施の形態１の変形例１における血圧測定・記録処理と同様の処理については、同じステップ番号を付してある。そのため、それらについての説明は繰返さない。
【０１４３】
図２５を参照して、ステップＳ２〜８の処理が終わると、抽出部２３は、メモリ１２９の測定結果記憶領域１２９Ａに記憶された傾斜レベルデータのうち、推奨傾斜範囲内のデータを抽出して読み出す（ステップＳ３００）。なお、ここでも、ステップＳ２において使用者Ａが選択されたものとして説明する。
【０１４４】
次に、算出部２４Ａは、読み出された傾斜レベルデータに基づいて、傾斜レベルごとに、測定頻度を算出する（ステップＳ１１０）。算出部２４による算出結果に基づいて、推奨傾斜範囲内の最も高頻度な傾斜レベルデータが表示制御部１８に出力される。
【０１４５】
以降は、上記変形例１と同様の表示がなされる。なお、高頻度の傾斜レベルが複数存在する場合には、たとえば、それらの傾斜レベルのうち、直近の測定の際に特定された傾斜レベルを採用することとする。
【０１４６】
このように、実施の形態１の変形例３によると、推奨傾斜範囲内の傾斜レベルデータが測定結果記憶領域１２９Ａ，Ｂに記憶されていれば、必ず過去の傾斜レベルが表示されることになる。その結果、実施の形態１の変形例１に比べて、目標とする過去の傾斜レベルが表示される確立が高くなる。
【０１４７】
［実施の形態２］
上述した実施の形態１およびその変形例１〜３では、測定の度に、特定された傾斜レベルがどのような値であっても記憶されるものであった。そのため、過去の傾斜レベルを表示する際に、メモリ１２９（測定結果記憶領域１２９Ａ，Ｂ）に記憶されている傾斜レベルデータが推奨傾斜範囲か否かの判断等を行なう必要があった。
【０１４８】
しかしながら、このような形態に限定されるものではなく、たとえば、測定の際に特定された傾斜レベルが推奨範囲内である場合にのみメモリ１２９に記憶させることとしてもよい。このような形態を、本発明の実施の形態２として説明する。
【０１４９】
本発明の実施の形態２では、上記実施の形態１の血圧計１００におけるＣＰＵ１２８の機能のみが異なる。したがって、ここでも、図１〜１１，１３に示した符号を用いて、実施の形態２における血圧計１００が、実施の形態１における血圧計１００と異なる部分のみ説明する。
【０１５０】
図２６は、本発明の実施の形態２における血圧計１００の機能ブロック図である。本実施の形態２においては、「ＣＰＵ１２８Ｄ」と記す。
【０１５１】
ＣＰＵ１２８Ｄは、実施の形態１のＣＰＵ１２８に含まれた判断部１６を含まず、これに代えて、新たな判断部２６を含む。その他は、実施の形態１と同様である。
【０１５２】
図２７は、本発明の実施の形態２における血圧計１００において実行される血圧測定・記録処理を示すフローチャートである。図２７のフローチャートに示す処理もまた、予めプログラムとしてメモリ１２９に格納されており、ＣＰＵ１２８Ｄがこのプログラムを読み出して実行することにより、血圧測定・記録処理の機能が実現される。なお、図１４に示した実施の形態１における血圧測定・記録処理と同様の処理については、同じステップ番号を付してある。そのため、それらについての説明は繰返さない。
【０１５３】
図２７を参照して、実施の形態２では、ステップＳ１２の判断処理が省かれる。そのため、ステップＳ１４では、ステップＳ１０で検索された直近の傾斜レベルが必ず表示される。
【０１５４】
一方、ステップＳ１８の後に、ステップＳ１９の判断処理が挿入される。ステップＳ１９では、判断部２６により、今回の傾斜レベル、すなわち、ステップＳ４で特定された傾斜レベルが推奨傾斜範囲内か否かが判断される。ここでの判断に用いられる傾斜レベルも、ステップＳ１８の処理が行われている際に特定された傾斜レベルであることが好ましい。
【０１５５】
今回の傾斜レベルが推奨傾斜範囲内と判断された場合（ステップＳ１９でＹＥＳ）、測定結果記憶領域１２９Ａに今回の血圧データ（と脈拍数データ）および傾斜レベルデータが記録される（ステップＳ２０Ａ）。より具体的には、ステップＳ２で選択された使用者（使用者Ａ）に対応する測定結果記憶領域１２９Ａに、測定日時データＤＴｎ、最高血圧データＳＢＰｎ、最低血圧データＤＢＰｎ、脈拍数データＰＬＳｎ、ならびに傾斜レベルデータＡＧｎが格納される。
【０１５６】
これに対し、今回の傾斜レベルが推奨傾斜範囲外と判断された場合（ステップＳ１９でＮＯ）、測定結果記憶領域１２９Ａに今回の血圧データ（と脈拍数データ）のみが記録される（ステップＳ２０Ｂ）。より具体的には、ステップＳ２で選択された使用者（使用者Ａ）に対応する測定結果記憶領域１２９Ａに、測定日時データＤＴｎ、最高血圧データＳＢＰｎ、最低血圧データＤＢＰｎ、および脈拍数データＰＬＳｎが格納され、傾斜レベルデータＡＧｎは格納されない。
【０１５７】
ステップＳ２０ＡまたはＳ２０Ｂの処理が終わると、ステップＳ２２の処理が実行される。
【０１５８】
このように、本発明の実施の形態２では、推奨傾斜範囲内の傾斜レベルデータのみが測定結果記憶領域１２９Ａ，Ｂに格納される。そのため、測定開始の前に過去の傾斜レベルを表示するための処理を早くすることができる。したがって、被験者は、即座に最適な測定姿勢をとることができるようになる。
【０１５９】
なお、実施の形態２の処理では、実施の形態１で示した表示制御（直近の傾斜レベルを表示）がされることとしたが、実施の形態１の変形例１で示した表示制御（高頻度の傾斜レベルを表示）がされることとしてもよい。
【０１６０】
以上、本発明の実施の形態１ならびにその変形例１〜３および実施の形態２では、血圧の測定処理（ステップＳ１６，Ｓ１８）は、操作部１１４を介して被験者から測定開始の指示が検出された場合に開始されることとして説明した。しかしながら、各実施の形態および変形例において、表示されている過去の傾斜レベル（たとえば推奨範囲内の直近の傾斜レベル）と、角度センサ１６０からの信号に基づき特定される今回の傾斜レベルとが一致した場合に、測定処理が開始されることとしてもよい。このようにすることで、より確実に同じ姿勢で測定が行なえるようになる。また、これに伴い、姿勢の相違（ずれ）が測定値に与える影響をより完全に除去することが可能となり、被験者による血圧の自己管理がさらに行ないやすくなる。
【０１６１】
なお、上述の実施の形態では、カフを被験者の上腕に対して自動的に巻き付けるカフ自動巻付機構を備えた血圧計１００を用いて説明したが、このような血圧計に限定されるものではない。たとえば、被験者の手首にカフを巻き付けることで血圧が測定できる携帯型の血圧計であってもよい。このような血圧計の場合でも、カフの水平面に対する傾角を検知するための角度センサ等を設けて被験者の心臓の高さからのずれを検出することで、上記と同様の機能を果たすことができる。
【０１６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６３】
【図１】本発明の各実施の形態における血圧計を右斜め上方から見た場合の外観を示す斜視図である。
【図２】本発明の各実施の形態における血圧計の生体挿入部が開錠された状態を示す斜視図である。
【図３】本発明の各実施の形態における血圧計におけるカフの装着手順を示す模式図である。
【図４】本発明の各実施の形態における血圧計におけるカフの装着後の測定姿勢を示す模式図である。
【図５】本発明の各実施の形態における血圧計を用いて血圧値を測定する際の測定姿勢を示す模式断面図である。
【図６】本発明の各実施の形態における血圧計の本体部ケーシング上に生体挿入部ケーシングが位置している収納状態を示す図である。
【図７】本発明の各実施の形態における血圧計の生体挿入部ケーシングを可能な限り被験者側に向かって回転移動させた最大可動状態を示す図である。
【図８】本発明の各実施の形態における血圧計において、推奨傾斜範囲内における可動最小位置に生体挿入部ケーシングが位置している状態を示す図である。
【図９】本発明の各実施の形態における血圧計において、推奨傾斜範囲内における可動最大位置に生体挿入部ケーシングが位置している状態を示す図である。
【図１０】本発明の各実施の形態における血圧計の回転可能範囲と推奨傾斜範囲との関係を示す図である。
【図１１】本発明の各実施の形態における血圧計の構成を示すハードウェアブロック図である。
【図１２】本発明の実施の形態１における血圧計の機能構成を示す機能ブロック図である。
【図１３】本発明の各実施の形態の血圧計におけるメモリのデータ構造の一例を示す図である。
【図１４】本発明の実施の形態１における血圧計において実行される血圧測定・記録処理を示すフローチャートである。
【図１５】図１４のステップＳ１４において表示される画面の一例を示す図である。
【図１６】図１４のステップＳ１８において表示される画面の一例を示す図である。
【図１７】図１４のステップＳ２２において表示される測定結果表示画面の一例を示す図である。
【図１８】（Ａ），（Ｂ）は、各々、本発明の各実施の形態において、測定記録データが表示される際の測定記録表示画面の例を示す図である。
【図１９】傾斜レベルの推移を示すグラフが表示された画面の一例を示す図である。
【図２０】本発明の実施の形態１の変形例１における血圧計の機能ブロック図である。
【図２１】本発明の実施の形態１の変形例１における血圧計において実行される血圧測定・記録処理を示すフローチャートである。
【図２２】本発明の実施の形態１の変形例２における血圧計の機能ブロック図である。
【図２３】本発明の実施の形態１の変形例２における血圧計において実行される血圧測定・記録処理を示すフローチャートである。
【図２４】本発明の実施の形態１の変形例３における血圧計の機能ブロック図である。
【図２５】本発明の実施の形態１の変形例３における血圧計において実行される血圧測定・記録処理を示すフローチャートである。
【図２６】本発明の実施の形態２における血圧計の機能ブロック図である。
【図２７】本発明の実施の形態２における血圧計において実行される血圧測定・記録処理を示すフローチャートである。
【符号の説明】
【０１６４】
１０  測定処理部、１２  傾斜レベル特定部、１４，１４Ａ  検索部、１６，２６  判断部、１８  表示制御部、２３  抽出部、２４，２４Ａ  算出部、３０  ブロック群、３５，５５  ピクトグラム、１００  血圧計、１１０  本体部、１１２  本体部ケーシング、１１４  操作部、１１６  表示部、１１８  レーザ出力部、１２０  生体圧迫用エア系、１２１  エアポンプ、１２２  エアバルブ、１２３  圧力センサ、１２４  エアポンプ駆動回路、１２５  エアバルブ駆動回路、１２６  増幅器、１２７  Ａ／Ｄコンバータ、１２８，１２８Ａ，１２８Ｂ，１２８Ｃ，１２８Ｄ  ＣＰＵ、１２９  メモリ、１２９Ａ，１２９Ｂ  測定結果記憶領域、１３０  タイマ、１４０  生体挿入部、１４１  ヒンジ部、１４２  生体挿入部ケーシング、１４４  把手、１４６  開錠ボタン、１４８  カフカバー、１５０  中空開口部、１５２  生体圧迫用空気袋、１５４  エアチューブ、１６０  角度センサ、２１０  机、２２０  椅子、３００  被験者、３１０  前腕、３２０  
上腕、３３０  心臓、４２０  水平面、ＡＧｉ  傾斜レベルデータ、ＤＢＰｉ  最低血圧データ、ＤＴｉ  測定日時データ、ＰＬＳｉ  脈拍数データ、ＳＢＰｉ  最高血圧データ。
【図１】
0004915331.tif 000002
【図２】
0004915331.tif 000003
【図３】
0004915331.tif 000004
【図４】
0004915331.tif 000005
【図５】
0004915331.tif 000006
【図６】
0004915331.tif 000007
【図７】
0004915331.tif 000008
【図８】
0004915331.tif 000009
【図９】
0004915331.tif 000010
【図１０】
0004915331.tif 000011
【図１１】
0004915331.tif 000012
【図１２】
0004915331.tif 000013
【図１３】
0004915331.tif 000014
【図１４】
0004915331.tif 000015
【図１５】
0004915331.tif 000016
【図１６】
0004915331.tif 000017
【図１７】
0004915331.tif 000018
【図１８】
0004915331.tif 000019
【図１９】
0004915331.tif 000020
【図２０】
0004915331.tif 000021
【図２１】
0004915331.tif 000022
【図２２】
0004915331.tif 000023
【図２３】
0004915331.tif 000024
【図２４】
0004915331.tif 000025
【図２５】
0004915331.tif 000026
【図２６】
0004915331.tif 000027
【図２７】
0004915331.tif 000028